(57)【特許請求の範囲】
【請求項１】
複数の画像表示装置がネットワーク接続された画像表示システムにおいて、前記画像表示装置の夫々に設けられるネットワーク基板に取り外し可能な外部記憶媒体を設け、前記外部記憶媒体に前記画像表示装置に対応する、ＩＰアドレス情報以外に、プログラムファイル情報、画像表示に関する設定情報、ログ情報のうちいずれか１つ以上を含む設定情報を記憶させて管理するようにした画像表示システム。
【請求項２】
前記外部記憶媒体に記憶させるＩＰアドレス情報に、各画像表示装置の画像表示に関する設定情報をＩＰアドレスの各バイト部分に関連付けるようにした請求項１に記載の画像表示システム。
【発明の詳細な説明】
【技術分野】
【０００１】
この発明は、複数の画像表示装置がネットワーク接続された画像表示システムに関するもので、特にネットワークに接続された画像表示装置の設定情報の管理機能に関するものである。
【背景技術】
【０００２】
複数の画像表示装置がネットワーク接続される画像表示システムにおいて、センター装置が各画像表示装置との通信を行うためにはＩＰアドレスが必要であり、複数の画像表示装置に対してＩＰアドレスは固有の設定値を割り当てている。
画像表示装置が一般に使用されるＰＣ機器などの装置では無く、ＩＰアドレスを持つネットワーク機器から構成されることを考えた場合、従来は各画像表示装置に設けられたネットワーク基板に設定用の書込みケーブルなどを接続して、各画像表示装置にアクセスを行うことによりＩＰアドレスを設定するようにしている。
【０００３】
このようなＩＰアドレスの設定を行なう手法としては、特許文献１に記載のように、大型の画像表示装置を構成する複数のタイル表示部と、ネットを介してタイル表示部に接続され、タイル表示部の各々に固有のＩＰアドレスを割当てるＤＨＣサーバと、複数のタイル表示部の映像を撮影し、該映像に関する映像信号を出力する撮像装置と、撮像装置が撮影した映像信号から認識した物理的な配置位置と特定のＩＰアドレスを有するタイル表示部とを関連付ける表示制御装置を備えることにより、ＩＰアドレスの設定効率化を実施する手法が挙げられている。
【０００４】
一方、画像表示装置にはＩＰアドレス情報の他にも表示に関する設定情報として、スクリーンサイズ情報、スクリーンの色温度を調整する色温度情報などがある。それらの情報は画像表示装置が複数の機器（基板）により構成される場合、その役割を担う各基板上に実装されたフラッシュメモリなどの記憶素子に保存され、各基板単位にて管理されることがある。
【先行技術文献】
【特許文献】
【０００５】
【特許文献１】特開２００８−１６４９８６号公報
【発明の概要】
【発明が解決しようとする課題】
【０００６】
複数の画像表示装置がネットワーク接続される画像表示システムにおいては、ＩＰアドレスの設定が必要であるが、例えばネットワーク機能の役割を担う基板が故障などで交換される場合においては、交換後の基板に対して再度アクセスを行い、ＩＰアドレスを設定する必要があった。
また、特許文献１にあるように、撮像装置を用いてＩＰアドレスを割り当てる方法では大型表示装置のように複数の画像表示装置が一体型となっている場合には適用できるが、複数の画像表示装置が点在する環境に対しては撮像装置による手法を利用することが不可となる。
【０００７】
また設定情報には、ＩＰアドレス情報の他にプログラムファイル情報、スクリーンサイズ情報やスクリーンの色温度情報などの画像表示に関する設定情報、ログ情報等があり、これらの設定情報の管理において、画像表示装置内の各基板に実装される記憶素子で管理する場合、故障などで交換する基板のＩＰアドレス設定や画像表示装置の設定情報変更を実施する際には、基板上の記憶素子に書き込みケーブルなどを接続してデータを更新する必要があり、作業が膨大になっていた。
【０００８】
この発明は、上記のような課題を解決するためになされたものであり、ＩＰアドレス情報やプログラムファイル情報、画像表示に関する設定情報、ログ情報等の設定情報を、基板から取り外し可能な外部記憶媒体に持たせて一括管理を行うことにより、設定情報の管理を容易にするようにした画像表示システムを提供することを目的とするものである。
【課題を解決するための手段】
【０００９】
この発明の画像表示システムは、複数の画像表示装置がネットワーク接続された画像表示システムにおいて、画像表示装置の夫々に設けられるネットワーク基板に取り外し可能な外部記憶媒体を設け、この外部記憶媒体に画像表示装置に対応する、ＩＰアドレス情報以外に、プログラムファイル情報、画像表示に関する設定情報、ログ情報のうちいずれか１つ以上を含む設定情報を記憶させて管理するようにしたものである。 
【発明の効果】
【００１０】
この発明によれば、画像表示装置の基板の交換時には取り外し可能な外部記憶媒体を差し替えるだけで設定情報を新しい基板に移行することができ、基板交換後のＩＰアドレスの再設定の時間短縮や画像表示装置の設定情報の書き込みの時間短縮が図れる。
また基板の不具合解析時には、取り外し可能な外部記憶媒体の交換によりログ取得が容易に実現できる。
【図面の簡単な説明】
【００１１】
【図１】この発明の実施の形態１に係る画像表示システムの構成例を示す図である。
【図２】この発明の実施の形態１に係る画像表示装置の内部構成図である。
【図３】この発明の実施の形態１に係る取り外し可能な外部記憶媒体内の設定ファイル情報を示す図である。
【図４】この発明の実施の形態２に係る取り外し可能な外部記憶媒体内の設定ファイル情報を示す図である。
【図５】この発明の実施の形態２に係るＩＰアドレスの関連付けを説明する図である。
【発明を実施するための形態】
【００１２】
実施の形態１．
以下、この発明の実施の形態１における画像表示システムを図１〜図３により説明する。
図１はこの発明の実施の形態１に係わるシステムの構成例を示す図である。図１のように画像表示システムは、センター装置１と複数の画像表示装置２ａ〜２ｄ（総称する場合は添字を省略する）がＬＡＮなどのネットワーク３により接続されて構成されている。複数の画像表示装置２ａ〜２ｄは一体型のように近接して配置されても、またそれぞれが所定距離離れて配置されていてもよい。
センター装置１および各画像表示装置２ａ〜２ｄは固有のＩＰアドレスを有する。画像表示装置２に画像表示を実施する場合においては、センター装置１は各画像表示装置２ａ〜２ｄに対して画像表示の指令を出し、各画像表示装置２ａ〜２ｄは自分のアドレスに対する指令を受けた場合に画像表示を行う。
【００１３】
また、図２は画像表示装置２の内部構成図であり、各画像表示装置２ａ〜２ｄの内部構成は同じにつき、代表してその１つについて説明する。
画像表示装置２の構成としては、センター装置１より指令を受け取り表示させる画像を生成するネットワーク基板２１と、スクリーンのサイズ設定や色温度設定などの画像表示の設定を行う映像コントローラ基板２２と、ＬＥＤなどの表示デバイスからなるスクリーン部２３とで構成される。
【００１４】
さらに、この発明の課題を解決するために、画像表示装置２内のネットワーク３に接続されるネットワーク基板２１に対して取り外し可能（リムーバブル）なコンパクトフラッシュ（登録商標）メモリなどの外部記憶媒体２４を備えている。取り外し可能な外部記憶媒体２４には通信を行うためのＩＰアドレス情報、スクリーンサイズ情報やスクリーンの色合いを調整する色温度情報などの画像表示に関する設定情報、プログラムファイル情報およびログ情報などのデータを記憶させて保管する。
ネットワーク基板２１の交換時においては、取り外し可能な外部記憶媒体２４を一旦、ネットワーク基板２１から取り外し、ネットワーク基板２１のみを交換して同じ取り外し可能な外部記憶媒体２４を接続する。
【００１５】
このように構成された各画像表示装置２の外部記憶媒体２４には、図３に示されるような各情報からなる設定情報を保存する領域を持つ。具体的な情報としてはＩＰアドレス、プログラムファイル情報、スクリーンサイズ情報やスクリーン色温度情報などの画像表示に関する設定情報、表示コンテンツ、ログ情報などである。
ＩＰアドレスに関しては、ネットワーク基板２１は、取り外し可能な外部記憶媒体２４内に設定されたＩＰアドレスをネットワーク基板２１内のメモリに取り込み、ＩＰアドレス設定を実施する。これによりセンター装置１と画像表示装置２のネットワークが確立される。
【００１６】
画像表示に関する情報については、通常、映像コントローラ基板２２内のメモリが保持しているが、電源起動時にネットワーク基板２１は映像コントローラ基板２２に対して画像表示の設定情報の読み込みを行い、取り外し可能な外部記憶媒体２４内に保存されている設定情報と相違が無いかを判断する。相違があった場合にはコントローラ基板２２に対して画像表示の設定情報の書き込みを行い、設定を実施する。
従って、映像コントローラ基板２２が故障などで交換されても、画像表示に関する設定情報はネットワーク基板２１もしくは取り外し可能な外部記憶媒体２４内に保存されている画像表示に関する情報から、書き込みを行い設定が簡単に行なえる。
【００１７】
プログラムファイル情報については、例えばネットワーク基板２１が画像表示指令を休止している時間帯において定期的にセンター装置１のプログラム更新情報を参照しに行き、更新が確認された場合にプログラムのデータを外部記憶媒体２４にダウンロードして更新を行う。
ログ情報については、一定間隔のログをまとめて定期的に取り外し可能な外部記憶媒体２４に保存する。
【００１８】
以上のように構成することにより、
（ａ）ネットワーク基板２１が故障したとしても、故障前のプログラムファイル情報データおよび画像表示に関する設定情報データは取り外し可能な外部記憶媒体２４に保管されているので、再度ネットワーク基板２１に対して書き込みによる設定を実施する必要が無く、交換時において取り外し可能な外部記憶媒体２４を差し替えるだけで設定情報を移行することが出来るので交換に要する時間短縮が見込まれる。
（ｂ）コントローラ基板２２の交換時においても、画像表示に関する設定情報としては上位のネットワーク基板２１にて保持されているので、コントローラ基板２２自身は初期設定の必要はなく、書き込みケーブルなどによる設定が不要となり交換に要する時間短縮が期待できる。
【００１９】
（ｃ）プログラムファイル情報の更新時においては、センター装置１に対してのみアップデートされたプログラムファイル更新を実施すればよく、各画像表示装置２は自動的に各画像表示装置のプログラムファイルを更新することが可能となるため、更新作業の時間短縮が出来る。
（ｄ）画像表示装置２の不具合解析が必要となった場合において、ログ情報取得の際には取り外し可能な外部記憶媒体２４にログが保存されていることから、取り外し可能な外部記憶媒体２４を交換することで不具合時のログ取得が可能となり、解析調査が容易となる。
このように画像表示装置２に対応する各種の設定情報を取り外し可能な外部記憶媒体２４に集約して一括管理することで、以上に述べた効果が期待でき、メンテナンス性が飛躍的に向上する。
【００２０】
実施の形態２．
次に、この発明の実施の形態２における画像表示システムを図４〜図５により説明する。
実施の形態２における画像表示システムの構成および画像表示装置の内部構成図は、図１および図２に示した実施の形態１の画像表示システムと同じであるので、その説明は省略する。
図４は各画像表示装置２のネットワーク基板２１に設けられる取り外し可能な外部記憶媒体２４内の設定ファイル情報を示す図、図５はＩＰアドレスの関連付けを説明する図である。
【００２１】
実施の形態１の発明では、取り外し可能な外部記憶媒体２４には自己の画像表示装置２に対応する設定データのみを保存することを述べたが、実施の形態２の発明では、複数の画像表示装置２のスクリーンサイズ情報や色温度情報などの画像表示に関する設定情報を全て取り外し可能な外部記憶媒体２４に登録しておき、ＩＰアドレスに各画像表示装置２の画像表示に関する設定情報を関連付けることで、ＩＰアドレスから自己の画像表示設定を読み込んで設定を行うことが出来るようにしたものである。
【００２２】
取り外し可能な外部記憶媒体２４には、図４は示すように、ＩＰアドレス、プログラムファイル情報、全ての画像表示装置２ａ〜２ｄのスクリーンサイズ情報、全ての画像表示装置２ａ〜２ｄの色温度情報、表示コンテンツ、ログ情報などを記憶して保存されている。
スクリーンサイズ情報には、３００×５００ピクセル、１０２４×７６８ピクセルなどの情報が、また色温度情報には、３５００Ｋ、６５００Ｋなどの情報がそのまま記憶されている。
そして外部記憶媒体２４内のＩＰアドレスに、自己の画像表示装置２の画像表示設定を関連付けて設定している。
【００２３】
具体的には例えば図５（ａ）に示すように、ＩＰアドレスの２バイト目に機器種別番号、３バイト目にスクリーンサイズ情報、４バイト目に色温度情報を関連付け、ＩＰアドレスの各バイト部分がどういった設定となるかの登録情報を持っておく。なお、１バイト目はローカルＩＰアドレス（ローカルＩＰアドレスのクラスＡ）をイメージして、例えば「１０」という数字を使用している。
【００２４】
この場合の登録情報は図５（ｂ）に示すように、全ての画像表示装置２ａ〜２ｄに対するスクリーンサイズ情報および色温度情報などの画像表示に関する設定情報に対応してアドレス値を予め用意しておき、それにしたがって関連付けする。
即ち、機器種別番号は、画像表示装置２ａ〜２ｄのスクリーン部２３をそれぞれ情報表示板Ａ〜Ｄとしてアドレス値０〜３を設定する。スクリーンサイズ情報は、それぞれスクリーンサイズに応じてアドレス値０〜３を設定する。色温度情報は、それぞれ色温度に応じてアドレス値０〜５を設定する。
【００２５】
この法則に従い各画像表示装置２は自己のＩＰアドレスを決定する。
例えば、スクリーンサイズ３００×５００、色温度３５００Ｋの設定情報をもった情報表示板Ａを有する画像表示装置２ａの場合では、ＩＰアドレスは１０．０．０．５となる。また、スクリーンサイズ１０２４×７６８、色温度６５００Ｋの設定情報をもった情報表示板Ｂを有する画像表示装置２ｂの場合では、ＩＰアドレスは１０．１．１．２となる。
このようして設定されたＩＰアドレスは、図４に示す取り外し可能な外部記憶媒体２４内の設定ファイル情報のＩＰアドレスの領域に保存される。
【００２６】
そして、全てのＩＰアドレスが、どのスクリーンサイズ情報、色温度情報に関連付けられるかは、図４に示す「画像表示に関する設定情報」内の指定領域に保存されており、各ネットワーク基板２１はその関連付け情報をもとに、それぞれのスクリーンサイズ情報や色温度情報を読み出すようにしている。
この手法による効果としては、取り外し可能な外部記憶媒体２４内にて全ての画像表示装置２ａ〜２ｄに対する画像表示に関する設定情報を保管し、ＩＰアドレスから設定情報を読み込むことでＩＰアドレスのみでの一括管理が可能となり、他の設定情報を共通化できるので容易な管理方法が期待できる。
さらにＩＰアドレス値から機器設定情報がイメージできるために、使用者が設定情報を把握することが容易となる。
【符号の説明】
【００２７】
１：センター装置
２（２ａ〜２ｄ）：画像表示装置
３：ネットワーク
２１：ネットワーク基板
２２：映像コントローラ基板
２３：スクリーン部
２４：取り外し可能な外部記憶媒体。
【図１】
0005836641.tif 000002
【図２】
0005836641.tif 000003
【図３】
0005836641.tif 000004
【図４】
0005836641.tif 000005
【図５】
0005836641.tif 000006